(57)【要約】  映画情報を提供する方法。映画プレビューが、映画提供者と関連する優先度情報に従ってカスタマイズされた順序でブロードキャストされる。関連する無線通信装置についても説明する。
2008521339.tif 000002
【特許請求の範囲】
【請求項１】
映画情報の提供方法であって、
映画プレビューを映画提供者と関連する優先度情報に従ってカスタマイズされた順序でブロードキャストする工程を備えることを特徴とする方法。
【請求項２】
前記ブロードキャストする工程では、約１０メートルから約１００メートルの圏内に位置する装置がブロードキャストされた前記映画プレビューを受信できるように、該映画プレビューを短距離送信器を利用してブロードキャストすることを特徴とする請求項１に記載の方法。
【請求項３】
前記ブロードキャストする工程では、特定の映画プレビューの要求とは独立に、前記映画プレビューをブロードキャストすることを更に特徴とする請求項２に記載の方法。
【請求項４】
前記優先度情報は、興行成績の良い映画、興行成績の振るわない映画、現在時刻から１時間以内に上映が開始される映画、及び、宣伝広告している映画の少なくともいずれかの情報を含むことを特徴とする請求項１に記載の方法。
【請求項５】
前記映画プレビューは、映画のテキスト情報、映画の動画情報、及び、映画の音声情報の少なくともいずれかを含むことを特徴とする請求項１に記載の方法。
【請求項６】
前記映画プレビューは、映画の予告編を含むことを特徴とする請求項１に記載の方法。
【請求項７】
無線リンクを介してブロードキャストされた前記映画プレビューに基づいて選択された映画の、少なくとも１枚のチケットを購入する要求を受け付ける工程を更に備えることを特徴とする請求項１に記載の方法。
【請求項８】
映画情報を受信する方法であって、
映画提供者と関連する優先度情報に従ってカスタマイズされた順序で、ブロードキャストされた映画プレビューを受信する工程を備えることを特徴とする方法。
【請求項９】
前記受信する工程では、前記映画プレビューをブロードキャストする装置から約１０メートルから１００メートルの圏内に位置する無線通信装置が、ブロードキャストされた前記映画プレビューを受信することを特徴とする請求項８に記載の方法。
【請求項１０】
前記受信する工程では、特定の映画プレビューの要求とは独立にブロードキャストされた前記映画プレビューを受信することを特徴とする請求項８に記載の方法。
【請求項１１】
前記優先度情報は、興行成績の良い映画、興行成績の振るわない映画、現在時刻から１時間以内に上映が開始される映画、及び、宣伝広告している映画の少なくともいずれかの情報を含むことを特徴とする請求項８に記載の方法。
【請求項１２】
前記映画プレビューは、映画のテキスト情報、映画の動画情報、及び、映画の音声情報の少なくともいずれかを含むことを特徴とする請求項８に記載の方法。
【請求項１３】
前記映画プレビューは、映画の予告編を含むことを特徴とする請求項８に記載の方法。
【請求項１４】
ブロードキャストされた前記映画プレビューに基づいて鑑賞する映画を選択する工程と、
選択された映画の少なくとも１枚のチケットを購入する工程と、
該少なくとも１枚の購入チケットの入手をユーザに可能とするために、認証コードを受信する工程と
をさらに備えることを特徴とする請求項８に記載の方法。
【請求項１５】
映画情報を提供するように構成された装置であって、
映画プレビューを映画提供者と関連する優先度情報に従ってカスタマイズされた順序でブロードキャストするように構成された映画情報提供回路を備えることを特徴とする装置。
【請求項１６】
前記映画情報提供回路は、約１０メートルから約１００メートルの圏内に位置する装置がブロードキャストされた前記映画プレビューを受信できるように、該映画プレビューをブロードキャストするように構成された短距離送信器を含むことを特徴とする請求項１５に記載の装置。
【請求項１７】
前記映画情報提供回路は、特定の映画プレビューの要求の受信とは独立に、前記映画プレビューをブロードキャストするように更に構成されていることを特徴とする請求項１５に記載の装置。
【請求項１８】
前記優先度情報は、興行成績の良い映画、興行成績の振るわない映画、現在時刻から１時間以内に上映が開始される映画、及び、宣伝広告している映画の少なくともいずれかの情報を含むことを特徴とする請求項１５に記載の装置。
【請求項１９】
前記映画プレビューは、映画のテキスト情報、映画の動画情報、及び、映画の音声情報の少なくともいずれかを含むことを特徴とする請求項１５に記載の装置。
【請求項２０】
前記映画プレビューは、映画の予告編を含むことを特徴とする請求項１５に記載の装置。
【請求項２１】
ブロードキャストされた前記映画プレビューに基づいて選択された映画の少なくとも１枚のチケットを無線リンクを介して購入可能とするように構成された購入回路をさらに備えることを特徴とする請求項１５に記載の装置。
【請求項２２】
映画情報を受信するように構成された無線通信装置であって、
映画提供者と関連する優先度情報に従ってカスタマイズされた順序で、ブロードキャストされた映画プレビューを受信するように構成された受信器を備えることを特徴とする無線通信装置。
【請求項２３】
前記受信器は、前記映画プレビューをブロードキャストする装置から約１０メートルから１００メートルの圏内に位置する前記無線通信装置で、ブロードキャストされた前記映画プレビューを受信するように更に構成されていることを特徴とする請求項２２に記載の無線通信装置。
【請求項２４】
前記受信器は、特定の映画プレビューの要求とは独立にブロードキャストされた前記映画プレビューを受信するように更に構成されていることを特徴とする請求項２２に記載の無線通信装置。
【請求項２５】
前記優先度情報は、興行成績の良い映画、興行成績の振るわない映画、現在時刻から１時間以内に上映が開始される映画、及び、宣伝広告している映画の少なくともいずれかの情報を含むことを特徴とする請求項２２に記載の無線通信装置。
【請求項２６】
前記映画プレビューは、映画のテキスト情報、映画の動画情報、及び、映画の音声情報の少なくともいずれかを含むことを特徴とする請求項２２に記載の無線通信装置。
【請求項２７】
前記映画プレビューは、映画の予告編を含むことを特徴とする請求項２２に記載の無線通信装置。
【請求項２８】
無線リンクを介してブロードキャストされた前記映画プレビューに基づいた映画の選択を可能とするように構成されたマン・マシン・インタフェースと、
選択された映画の少なくとも１枚のチケットを無線リンクを介して購入し、該少なくとも１枚の購入チケットの入手をユーザに可能とするために、認証コードを前記無線リンクを介して受信するように構成された購入回路と
を更に備えることを特徴とする請求項２２に記載の無線通信装置。
【請求項２９】
映画情報を無線リンクを介して提供する方法であって、
映画提供者と関連する優先度情報に基づいて、複数の映画プレビューについて順序を決定する工程と、
前記映画提供者の映画情報提供装置と少なくとも１台の無線通信装置との間で、無線リンクを確立する工程と、
前記複数の映画プレビューを決定された順序で、確立された無線リンクを介して送信する工程と
を備えることを特徴とする方法。
【請求項３０】
前記少なくとも１台の無線通信装置が、前記決定された順序で送信された複数の映画プレビューを前記確立された無線リンクを介して受信する工程をさらに備えることを特徴とする請求項２９に記載の方法。
【請求項３１】
受信した前記複数の映画プレビューに基づいて鑑賞する映画を選択する工程と、
選択された映画のチケットを、前記確立された無線リンクを介して購入する工程と
をさらに備えることを特徴とする請求項３０に記載の方法。
【請求項３２】
前記映画情報提供装置が、前記映画提供者と関連する場所に配置されることを特徴とする請求項２９に記載の方法。
【請求項３３】
前記無線リンクを確立する工程では、前記映画提供者の前記映画情報提供装置と、前記少なくとも１台の無線通信装置との間の前記無線リンクが、短距離アドホックネットワークを利用して確立されることを特徴とする請求項３２に記載の方法。
【請求項３４】
映画情報を無線リンクを介して提供する装置であって、
映画情報提供回路を備え、該映画情報提供回路は、
映画提供者と関連する優先度情報に基づいて、複数の映画プレビューについて順序を決定し、
無線リンクを、前記装置と少なくとも１台の無線通信装置との間で確立し、
前記複数の映画プレビューを決定された順序で、確立された無線リンクを介して送信する
ように構成されていることを特徴とする装置。
【請求項３５】
前記映画提供者と関連する場所に設置されていることを特徴とする請求項３４に記載の装置。
【請求項３６】
前記映画情報提供回路が、前記装置と前記少なくとも１台の無線通信装置との間の前記無線リンクを、短距離アドホックネットワークを利用して確立するように構成されていることを特徴とする請求項３５に記載の装置。
【請求項３７】
複数の映画プレビューを、映画提供者が決定した順序で、確立された無線リンクを介して受信する受信回路を備えることを特徴とする無線通信装置。
【請求項３８】
受信した前記複数の映画プレビューに基づいた映画の選択を可能とするように構成されたマン・マシン・インタフェースと、
選択された映画のチケットを前記確立された無線リンクを介して購入するように構成された購入回路と
をさらに備えることを特徴とする請求項３７に記載の無線通信装置。
【発明の詳細な説明】
【技術分野】
【０００１】
本発明は、無線通信装置に関連し、より詳細には、放送メッセージを受信するように構成された無線通信装置及び当該装置の制御方法に関する。
【０００２】
本出願は、２００４年１１月１９日に出願された仮出願第６０／６２９，６７８の優先権を主張する出願であって、当該出願の全ての内容は引用により本出願に組み込まれるものである。
【背景技術】
【０００３】
近年、無線通信装置の分野が拡大している。コードレス電話、携帯電話、ページャ、無線モデム、無線電子メール装置、通信機能を有するＰＤＡ及び他の無線通信装置といった無線通信装置が身近なものとなっている。これらの無線通信装置のうちいくつかは、インターネット通信用に構成されている。そして、インターネット通信機能を有する無線通信装置のユーザは、商品購入、購入前の当該商品の情報収集、運転方向を得るために、当該無線通信装置を利用することがある。
【０００４】
ここで具体的に、"Fandango.com"や"MovieTickets.com（登録商標）"のようなウェブサイトでは、ユーザーに映画の予告編、映画のレビュー、及び、映画のスケジュールを提供可能としている。ユーザは、これらのウェブサイトにおいてオンラインでチケットを購入することができる。購入したチケットは、クレジットカードなどの識別用フォームや取引確認番号などを利用して、上映前にボックスオフィスで受け取ることができる。映画情報を入手する場合、ユーザは通常ウェブサイトにログインしたり、フリーダイヤルに電話したりして、特定の映画に関する情報を要求する。
【発明の開示】
【課題を解決するための手段】
【０００５】
本発明のいくつかの実施形態は、映画情報の提供方法に関わる。映画プレビューは、映画の提供者と関連づけられた優先度情報に従ってカスタマイズされた順序でブロードキャストされる。
【０００６】
発明の更なる実施形態では、約１０メートルから約１００メートルの圏内の無線通信装置が受信できるように、無線通信装置は短距離送信器を利用して映画プレビューをブロードキャストしてもよい。発明のある実施形態では、映画プレビューは、特定の映画プレビューの要求の受信とは独立にブロードキャストされてもよい。
【０００７】
発明の更なる実施形態では、優先度情報は、興行成績の良い映画、興行成績が振るわない映画、現在時刻から１時間以内に上映される映画、及び、宣伝広告している映画の少なくともいずれかに関する情報を含んでいてもよい。映画プレビューは、映画に関するテキスト情報、動画情報、及び音声情報の少なくともいずれかを含んでいてもよい。発明のある実施形態では、映画プレビューは、映画の予告編を含んでいてもよい。無線リンクを介してブロードキャストされた映画プレビューに基づき選択された映画の、少なくとも１枚のチケットの購入要求を受信することもできる。
【０００８】
発明のいくつかの実施形態では、映画情報を受信する方法を提供してもよい。ブロードキャストされた映画プレビューは、映画提供者と関連づけられた優先度情報に従いカスタマイズされた順序で受信されてもよい。
【０００９】
発明の更なる実施形態では、映画プレビューをブロードキャストする装置の約１０メートルから約１００メートルの圏内に存在する無線通信装置により、映画プレビューが受信されてもよい。発明のある実施形態では、ブロードキャストされた映画プレビューは、特定の映画プレビューの要求とは独立に受信されてもよい。
【００１０】
発明の更なる実施形態では、ブロードキャストされた映画プレビューに基づいて鑑賞しようとする映画が選択されてもよい。選択された映画の少なくとも１枚のチケットを購入し、該少なくとも１枚の購入チケットをユーザ受け取るための認証コードを受信してもよい。
【００１１】
発明のいくつかの実施形態は、無線リンクを介して映画情報を提供する方法を提供する。複数の映画プレビューの順序が、映画提供者と関連する優先度情報に基づいて決定される。無線リンクは、映画提供者の映画情報提供装置と、少なくとも１台の無線通信装置との間で確立される。複数の映画プレビューが、映画情報提供装置から確立された無線リンクを介して決定された順序で送信される。
【００１２】
発明の更なる実施形態では、少なくとも１台の無線通信装置が、送信された複数の映画プレビューを決定された順序で、確立された無線リンクを介して受信してもよい。鑑賞しようとする映画が受信した複数の映画プレビューに基づいて選択され、選択された映画のチケットが確立された無線リンクを介して購入されてもよい。
【００１３】
発明の更なる実施形態では、映画情報提供装置が、例えば、当該映画提供者と関連する映画館のような、映画提供者と関連づけられた場所に配置されてもよい。発明のある実施形態では、無線リンクが、映画提供者の映画情報提供装置と少なくとも１台の無線通信装置との間で、短距離アドホックネットワークを利用して確立されてもよい。
【００１４】
提供する方法、関連する装置に関連して、まずは本発明を上述した。
【発明を実施するための最良の形態】
【００１５】
本発明を、発明の実施形態を示す添付する図面を参照してより詳細に説明する。当該図面において、部位や特徴の相対的なサイズは、理解の容易のために誇張してある。しかしながら、本発明は多くの異なる形式において実施可能であり、ここで説明する実施形態に限定して解釈されるべきではない。むしろ、これらの実施形態は、本開示が完璧かつ完全となるように、また当業者に本発明の範囲を十分に伝えるように提供されている。また、ある要素が別の要素に「結合」または「接続」されていると言うとき、その別の要素に直接に接続、または結合されていても、介在要素が存在していてもよいことを理解されたい。これに対して、ある要素が別の要素に「直接結合」または「直接接続」されていると言うとき、介在要素は存在しない。また、類似の番号は類似の要素を指す。また、「・・・及び・・・の少なくともいずれか（"and/or"）」との語は、列挙された事項の１つ以上のいかなる結合、及び、全ての結合を含むものとして、理解されよう。点線は本発明の任意の側面を定義する。当業者であれば理解するように、本発明は、完全なハードウェア形式の実施形態、完全なソフトウェア形式の実施形態、或いは、ソフトウェアとハードウェアが結合した実施形態を採ることができるが、いずれの場合であっても、”回路”或いは”モジュール”と呼ぶことにする。
【００１６】
本明細書において使用される用語は、特定の実施形態を説明する目的でのみ用いられるものであって、本発明を限定する意図は存在しない。本明細書で使用する場合、単数形の表現は、複数形式のものも同様に含むことが意図されている。但し、文脈において複数形式を明らかに除外している場合にはその限りではない。また、「備える（"comprising"又は"comprise"）」の語は、記載された特徴、数値、工程、動作、要素、及びコンポーネントの少なくともいずれかの存在を表す一方で、１以上の他の特徴、数値、工程、動作、要素、コンポーネント及びそれらの組合せの少なくともいずれかの存在又は追加を排除するものではない。
【００１７】
他に特に定義しない限り、本明細書において使用される全ての語句（技術用語、科学用語を含む）は、本発明が属する技術分野の当業者が共通に理解する意味と同一の意味を有する。通常用いられる辞書において定義されているような語は、従来技術の文脈においてその語が持つ意味と一致した意味を有するものとして解釈されるべきであって、特に定義していない限りは、理想的な意味で、或いは、過度に形式的な意味で解釈すべきではない。
【００１８】
本発明の実施形態を、図１から図５を参照して以下において説明する。本発明のいくつかの実施形態は、例えば映画館のような映画提供者と関連する優先順位に従った順序で、映画プレビューをブロードキャストするように構成される。よって、映画提供者は、最初にブロードキャストされた映画プレビューと関連する映画のチケットが購入される可能性を高めるため、どの映画プレビューを最初に提示するかを決定することができる。例えば、それほど興行成績が振るわない映画の映画プレビューを最初にブロードキャストしたり、興行成績が非常に良い映画の映画プレビューを最初にブロードキャストしたり、或いは、映画提供者が宣伝広告している映画の映画プレビューを最初にブロードキャストたりすることができる。本発明のいくつかの実施形態において、映画プレビューをブロードキャストするように構成された装置は、例えばBluetooth送受信器やＷｉＦｉのような、短距離送受信器／送信器を含んでいてもよい。発明のこれらの実施形態では、映画プレビューをブロードキャストするように構成された装置の約１０メートルから約１００メートルの圏内に位置する装置無線通信装置は、ブロードキャストされた映画プレビューを受信することができる。従って、本発明の実施形態では、以下に記述するように映画プレビューのブロードキャスト及び受信のための改良された方法及び装置を提供することができる。
【００１９】
以下では、本発明のいくつかの実施形態に対応するブロードキャスト・メッセージを受信するように構成された移動局の概略的なブロック図を参照して、本発明を記述する。本発明の実施形態は、例えば図１の移動局２２のような移動局と関連して説明されるが、発明の実施形態がこの構成に限定されるものではない。本発明の実施形態は、発明の範囲を逸脱することなく、ブロードキャスト・メッセージを受信するように構成されたあらゆる無線通信装置に包含させることができる。
【００２０】
本明細書で使用される”無線通信装置”或いは”移動局”の語は、以下の概念を有するものである。マルチライン・ディスプレイを含むか或いは含まない携帯無線電話、携帯無線電話にデータ処理機能、ファクシミリ機能、データ通信機能を結合させた個人用通信システム（PCS:Personal Communications System）端末、無線電話機能、ページャ機能、インターネット／イントラネット接続機能、ウェブ・ブラウザ機能、オーガナイザ機能、カレンダー機能、及び、ＧＳＰ受信機能の少なくともいずれかを含むＰＤＡ、ゲーム装置、音声動画再生装置、及び、従来的なラップトップ型或いはパームトップ型の携帯型コンピュータであって無線電話送受信器を備えるもの。
【００２１】
図１を参照すると、発明のいくつかの実施形態に対応する典型的な無線通信システムが示されている。このシステムには、移動局２２と、無線通信ネットワークの基地局送受信機２４が含まれている。移動局２２は、携帯型ハウジング２３を含み、更に、マン・マシン・インタフェース（ＭＭＩ）２６、ディスプレイ２８、スピーカ３２、マイクロフォン３４、送受信器３６、メモリー３８を含むことができ、これらはプロセッサ４２と通信することができる。更に、発明の実施形態に対応する移動局２２は、発明の実施形態に対応する購入回路２９を更に含むことができる。当該購入回路２９も、プロセッサ４２と通信する。プロセッサ４２は、一般的に入手可能なマイクロプロセッサ、及び、専用のマイクロプロセッサのいずれであってもよい。
【００２２】
送受信器３６は、典型的には送信器回路４４と受信器回路４６を含み、送信器回路４４は基地局送受信機２４に向けて無線周波数信号を外部送信し、受信器回路４６は、音声やデータ信号といった基地局送受信機２４から到来する無線周波数信号を、アンテナ４８を介して受信する。アンテナ４８は、発明の範囲から逸脱することなく、内蔵アンテナ、リトラクタブル・アンテナ、あるいは当業者に知られているあらゆるアンテナの何れであってもよい。移動局２２と基地局送受信機２４との間で通信される無線周波数信号は、トラヒック信号および制御信号（例えば、ページング信号／入来呼のためのメッセージ）の両方を含むことができる。これらは、他のパーティや宛先との通信を確立し維持するために利用される。プロセッサ４２は、移動局２２の様々な機能をサポートすることができる。当該機能には、ブロードキャスト・メッセージを受信するように構成された受信器回路４６、ブロードキャストされた映画プレビューに基づいて無線リンクを介して映画のチケットを購入するように構成された購入回路２９が含まれる。
【００２３】
発明のいくつかの実施形態において、送受信器３６が短距離送受信器であってもよいことは理解されよう。この短距離送受信器は、例えば、比較的短い距離においてデータの高転送レートを実現できるBluetooth送受信器であってもよい。また、本発明の移動局２２は、無線送受信器と短距離送受信器／送信器とを含んでもよいことが理解されよう。この短距離送受信器は、例えば約１０メートルから約１００メートルの範囲といった特定圏内に存在する装置と、無線ネットワークに関連する料金を負担することなく、通信することができる。無線送受信器は、無線ネットワークを利用して圏外の装置とも通信することができる。
【００２４】
発明のいくつかの実施形態では、基地局送受信機２４は、セルラーネットワークにおける個別のセルを定義し、移動局２２や、セル内の他の移動局と無線リンク・プロトコルを用いて通信する無線送受信器を備える。図に示した基地局送受信機２４は１つだけであるが、例えば移動交換局と無線通信ネットワークを定義する他の装置を介して、より多くの基地局送受信機を接続してもよいことは、理解されよう。
【００２５】
本発明は、移動局２２のような、通信装置或いはシステムにおいて実現されてもよいが、本発明は、そのような装置やシステムに限定されるものではない。その代わりに、本発明は、ブロードキャスト・メッセージを受信するように構成されたあらゆる装置において実施可能である。移動局２２の典型的な動作を、図１を参照して説明する。移動局２２のユーザは、映画を観たいと思っているが、どの映画を観ればよいかが分からないとする。そこで、ユーザは自身の移動局２２を利用して、例えば、映画館といった映画提供者からブロードキャストされている映画プレビューにアクセスする。本明細書において、”ブロードキャスト（する）”との語を使用する場合は、移動局２２のユーザが、情報の要求とは独立に該情報を受信するような情報提供形式を意味しているものとする。本明細書において使用されるブロードキャスト（する）との語は、発明の範囲を逸脱することなく、ユニキャスト、マルチキャスト、アドレッシング等の概念を含むものと理解されよう。
【００２６】
ユーザが映画プレビューにアクセスしようとする場合は、例えば移動局２２を利用して映画提供者により管理されているウェブサイトにアクセスするか、あるいは、もしユーザが映画提供者の約１０メートルから約１００メートルの圏内に位置する場合には、短距離送受信器を利用してブロードキャストされた映画プレビューを移動局で受信すればよい。移動局２２のユーザは、特定の映画に関する映画プレビューを要求する必要はなく、映画プレビューは、以降で説明する所定の順序に従って自動的に提供されることが理解されよう。短距離送受信器を利用した発明の実施形態においては、映画プレビューは、移動局２２が圏内に属したときに、移動局２２に自動的にブロードキャストされる。
【００２７】
ここで説明するように、映画提供者は、映画提供者と関連する優先度情報に従ってカスタマイズした順序において映画プレビューをブロードキャストしてもよい。映画プレビューは、映画のサマリのような映画に関するテキスト情報、映画に関する動画情報、映画に関する音声情報或いは、これらの組合せを含んでいてもよい。例えば、本明細書で使用する”映画の予告編”との語は、動画情報と音声情報との組合せを意味することができる。優先度情報は、興行成績の良い映画、興行成績の振るわない映画、現在時刻から所定の期間（例えば、１時間）内に上映開始される映画、あるいは、映画提供者が宣伝広告している映画に基づくことができる。例えば、もし優先度情報が、興行成績の振るわない映画に基づく場合には、当該興行成績の振るわない映画の映画プレビューがブロードキャストされる。更に、興行成績の振るわない映画の映画プレビューは、より人気のある映画のものよりも長いものであっても良いし、或いは、当該より人気のある映画のものよりもより“アピール度”の高いものであってもよい。このようにして、何を観るかを決めかねている映画ファンが、興行成績の振るわない映画を選択する可能性を高めることができる。
【００２８】
本発明のいくつかの実施形態では、無線リンクを介してブロードキャストされた映画プレビューに基づいて選択された映画のチケットを購入するように、購入回路２９を構成することができる。本発明のこれらの実施形態では、無線通信装置は、ユーザが映画館到着時に購入チケットを取得できるように、認証コードを無線リンクを介して受信するように構成されても良い。例えば、発明のいくつかの実施形態では、売店が、映画提供者の場所に設置されていてもよい。売店に到着すると、ユーザは、チケット購入取引のためにクレジットカード挿入するが、あるいは、確認用の認証コードを入力するように指示されても良い。コードまたはカードが認証されると、チケットが売店でプリントされても良い。発明のいくつかの実施形態では、移動局２２の仕様を、売店での購入時の認証に利用しても良い。例えば、ＳＩＭカード又はＲＦＩＤが売店で認識されても良い。
【００２９】
次に、図２を参照して、発明のいくつかの実施形態に対応する映画情報提供装置及び無線通信装置について説明する。図２に示すように、無線通信装置２２２は、映画情報提供装置２６０と通信することができる。ここで、無線通信装置２２２は、図１の移動局２２と関連して説明した回路やモジュールを含んでいてもよい。映画情報提供装置２６０は、例えば映画館のような映画提供者の所在地に設置された物理的な装置であっても良いし、あるいは、映画提供者と関連づけられた遠隔装置であってもよい。図２に示すように、映画情報提供装置２６０は、オプションとしての短距離送受信器２６３、映画情報提供回路２６５、及び、購入回路２６８を含む。
【００３０】
映画情報提供回路２６５は、映画提供者と関連する優先度情報に従ってカスタマイズされた順序により、映画プレビューをブロードキャストするように構成することができる。映画情報提供回路２６５は、映画プレビューを、例えばＷｉＦｉ、Bluetoothのような短距離ブロードキャスティング、或いはセルラーネットワークを利用してブロードキャストしても良い。短距離送受信器２６３を含む本発明の実施形態では、短距離送受信器２６３は、約１０メートルから約１００メートルの圏内に属し、ブロードキャストされた映画プレビューを受信可能な無線通信装置２２２のような装置に対して、映画プレビューをブロードキャストするように構成されても良い。さらに、発明のこれらの実施形態では、無線通信装置２２２は、特定の映画プレビューを要求する必要はない。無線通信装置２２２は、映画情報提供装置２６０の通信圏内に入ると、ブロードキャストされた映画プレビューを自動的に受信することができる。
【００３１】
上述のように、優先度情報は、興行成績の良い映画、興行成績の振るわない映画、現在時刻から１時間以内に上映開始される映画、或いは、宣伝している映画のいずれかを含むことができる。更に、映画プレビューは、映画のテキスト情報、映画の動画情報、映画の音声情報及びそれらの任意の組合せを含んでいてもよい。例えば、映画の予告編は、映画の動画情報と音声情報との組合せであっても良い。
【００３２】
図２に更に示すように、映画情報提供装置２６０は、映画情報提供装置２６０と少なくとも１台の無線通信装置２２２との間の無線リンクを介してブロードキャストされた映画プレビューに基づき選択された映画のチケットを購入する方法を提供するように構成された購入回路２６８を更に含む。このようにして、映画ファンは、ブロードキャストされた映画の予告編を鑑賞すれば、その映画を選択してチケットを遠隔地域から購入することができる。この場合、映画ファンは認証コードが割り当てられてもよく、当該認証コードは、映画館などの映画提供者の所在地に到着した際にチケットを入手するために利用されても良い。本発明の範囲から逸脱することなく、チケット購入後に映画館に入場するための方法は数多く存在することは、理解されよう。
【００３３】
図３及び４を参照して、発明の実施形態に従った装置の動作について説明する。図３を参照すると、ブロック３００において、映画提供者と関連する優先度情報に従いカスタマイズされた順序で映画プレビューがブロードキャストされることにより、動作が開始される。ブロードキャストは、短距離送受信器、ＷｉＦｉ、及び、セルラー送受信器の少なくともいずれかを介して行われても良い。短距離送受信器を利用する実施形態では、約１０メートルから約１００メートルの圏内に属する装置が、ブロードキャストされた映画プレビューを受信することができる。発明のこれらの実施形態では、特定の映画プレビューの要求の受信とは独立に、映画プレビューを圏内の装置にブロードキャストしても良い。発明のいくつかの実施形態では、無線リンクを介してブロードキャストされた映画プレビューに基づいて選択された映画のチケットの購入方法が提供される（ブロック３１０）。
【００３４】
図４を参照して、本発明の実施形態に対応する無線通信装置の動作を説明する。当該動作は、映画提供者と関連する優先度情報に従ってカスタマイズされた順序でブロードキャストされた映画プレビューを受信することにより、ブロック４０５で開始される。無線通信装置は、ブロードキャストされた映画プレビューを短距離送受信器、セルラーネットワークなどを利用して受信しても良い。短距離送受信器を含む発明の実施形態では、ブロードキャストされた映画プレビューは、映画プレビューをブロードキャストする装置から約１０メートルから約１００メートルの圏内に位置する無線通信装置により受信されてもよい。発明のこれらの実施形態では、ブロードキャストされた映画プレビューは、特定の映画プレビューの要求とは独立に受信されても良い。鑑賞する映画は、ブロードキャストされた映画プレビューに基づいて選択される（ブロック４１５）。選択された映画のチケットは、無線リンクを介して遠隔購入される（ブロック４２０）。一旦購入すると、ユーザが購入チケットを入手できるように認証コードを受信する（ブロック４２５）。
【００３５】
図５を参照すると、発明のいくつかの実施形態に対応する映画情報を提供する動作がブロック５００おいて開始される。ブロック５００では、映画提供者と関連する優先度情報に基づいて複数の映画プレビューの順序が決定される。優先度情報は、興行成績の良い映画、興行成績が振るわない映画、現在時刻から１時間以内に上映開始される映画、宣伝広告している映画などが含まれる。無線リンクは、映画提供者の映画情報提供装置と少なくとも１台の無線通信装置との間で確立される（ブロック５１０）。映画情報提供装置は、例えば映画館といった映画提供者の所在地に設置されていても良い。優先度情報は、当該映画館において既に公開されている或いは、今後公開される映画に関連していても良い。無線リンクは、例えば、短距離送受信器及び無線通信ネットワークの少なくともいずれかを利用して確立されても良い。例えば、映画提供者は、無線通信ネットワークが、映画情報提供装置から送信された映画情報を検出し、映画情報を無線通信装置に提供するように無線通信プロバイダと交渉してもよい。複数の映画プレビューは、決定された順序において、映画情報提供装置から無線通信装置へ確立された無線リンクを介して送信される（ブロック５２０）。
【００３６】
送信された複数の映画プレビューは、決定された順序において、無線通信装置において確立された無線リンクを介して受信される（ブロック５３０）。ここで、無線通信装置が、映画情報を要求する必要はないことが理解されよう。映画は、複数の映画プレビューに基づいて選択され（ブロック５４０）、選択された映画の少なくとも１枚のチケットが確立された無線リンクを介して購入される（ブロック５５０）。
【００３７】
図面及び明細書において、発明の例示の典型的な実施形態を説明した。この説明では、特定の用語を利用したが、これらは一般的で、かつ、説明的な意味に置いて用いられたものであって、発明を限定する目的はない。本発明の範囲は、特許請求の範囲の記載により特定されるものである。
【図面の簡単な説明】
【００３８】
【図１】発明のいくつかの実施形態に対応する移動局と、基地局送受信機とを示すブロック図である。
【図２】発明のいくつかの実施形態に対応する映画情報提供装置と無線通信装置とを示すブロック図である。
【図３】発明のいくつかの実施形態に対応する映画情報提供装置の動作の一例を示すフローチャートである。
【図４】発明の更なる実施形態に対応する無線通信装置の動作の一例を示すフローチャートである。
【図５】発明の更なる実施形態に対応する無線通信装置の動作の一例を示すフローチャートである。
【図１】
2008521339.tif 000003
【図２】
2008521339.tif 000004
【図３】
2008521339.tif 000005
【図４】
2008521339.tif 000006
【図５】
2008521339.tif 000007
【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
映画情報の提供方法であって、
映画プレビューを映画館と関連する優先度情報に従ってカスタマイズされた順序でブロードキャストする工程を備え、
前記映画プレビューが、特定の映画プレビューの要求とは独立にブロードキャストされることを特徴とする方法。
【請求項２】
前記ブロードキャストする工程では、約１０メートルから約１００メートルの圏内に位置する装置がブロードキャストされた前記映画プレビューを受信できるように、該映画プレビューを短距離送信器を利用してブロードキャストすることを特徴とする請求項１に記載の方法。
【請求項３】
前記優先度情報は、興行成績の良い映画、興行成績の振るわない映画、及び、現在時刻から１時間以内に上映が開始される映画の少なくともいずれかの情報を含むことを特徴とする請求項１に記載の方法。
【請求項４】
前記映画プレビューは、映画のテキスト情報、映画の動画情報、及び、映画の音声情報の少なくともいずれかを含むことを特徴とする請求項１に記載の方法。
【請求項５】
前記映画プレビューは、映画の予告編を含むことを特徴とする請求項１に記載の方法。
【請求項６】
無線リンクを介してブロードキャストされた前記映画プレビューに基づいて選択された映画の、少なくとも１枚のチケットを購入する要求を受け付ける工程を更に備えることを特徴とする請求項１に記載の方法。
【請求項７】
映画情報を受信する方法であって、
映画館と関連する優先度情報に従ってカスタマイズされた順序で、ブロードキャストされた映画プレビューを受信する工程を備え、
前記ブロードキャストされた映画プレビューは、特定の映画プレビューの要求とは独立に受信されることを特徴とする方法。
【請求項８】
前記受信する工程では、前記映画プレビューをブロードキャストする装置から約１０メートルから１００メートルの圏内に位置する無線通信装置が、ブロードキャストされた前記映画プレビューを受信することを特徴とする請求項７に記載の方法。
【請求項９】
前記優先度情報は、興行成績の良い映画、興行成績の振るわない映画、及び、現在時刻から１時間以内に上映が開始される映画の少なくともいずれかの情報を含むことを特徴とする請求項７に記載の方法。
【請求項１０】
前記映画プレビューは、映画のテキスト情報、映画の動画情報、及び、映画の音声情報の少なくともいずれかを含むことを特徴とする請求項７に記載の方法。
【請求項１１】
前記映画プレビューは、映画の予告編を含むことを特徴とする請求項７に記載の方法。
【請求項１２】
ブロードキャストされた前記映画プレビューに基づいて鑑賞する映画を選択する工程と、
選択された映画の少なくとも１枚のチケットを購入する工程と、
該少なくとも１枚の購入チケットの入手をユーザに可能とするために、認証コードを受信する工程と
をさらに備えることを特徴とする請求項７に記載の方法。
【請求項１３】
映画情報を提供するように構成された装置であって、
映画プレビューを、映画館と関連する優先度情報に従ってカスタマイズされた順序で、かつ、特定の映画プレビューの要求の受信とは独立にブロードキャストするように構成された映画情報提供回路を備えることを特徴とする装置。
【請求項１４】
前記映画情報提供回路は、約１０メートルから約１００メートルの圏内に位置する装置がブロードキャストされた前記映画プレビューを受信できるように、該映画プレビューをブロードキャストするように構成された短距離送信器を含むことを特徴とする請求項１３に記載の装置。
【請求項１５】
前記優先度情報は、興行成績の良い映画、興行成績の振るわない映画、及び、現在時刻から１時間以内に上映が開始される映画の少なくともいずれかの情報を含むことを特徴とする請求項１３に記載の装置。
【請求項１６】
前記映画プレビューは、映画のテキスト情報、映画の動画情報、及び、映画の音声情報の少なくともいずれかを含むことを特徴とする請求項１３に記載の装置。
【請求項１７】
前記映画プレビューは、映画の予告編を含むことを特徴とする請求項１３に記載の装置。
【請求項１８】
ブロードキャストされた前記映画プレビューに基づいて選択された映画の少なくとも１枚のチケットを無線リンクを介して購入可能とするように構成された購入回路をさらに備えることを特徴とする請求項１３に記載の装置。
【請求項１９】
映画情報を受信するように構成された無線通信装置であって、
映画館と関連する優先度情報に従ってカスタマイズされた順序で、かつ、特定の映画プレビューの要求とは独立に、ブロードキャストされた映画プレビューを受信するように構成された受信器を備えることを特徴とする無線通信装置。
【請求項２０】
前記受信器は、前記映画プレビューをブロードキャストする装置から約１０メートルから１００メートルの圏内に位置する前記無線通信装置で、ブロードキャストされた前記映画プレビューを受信するように更に構成されていることを特徴とする請求項１９に記載の無線通信装置。
【請求項２１】
前記優先度情報は、興行成績の良い映画、興行成績の振るわない映画、及び、現在時刻から１時間以内に上映が開始される映画の少なくともいずれかの情報を含むことを特徴とする請求項１９に記載の無線通信装置。
【請求項２２】
前記映画プレビューは、映画のテキスト情報、映画の動画情報、及び、映画の音声情報の少なくともいずれかを含むことを特徴とする請求項１９に記載の無線通信装置。
【請求項２３】
前記映画プレビューは、映画の予告編を含むことを特徴とする請求項１９に記載の無線通信装置。
【請求項２４】
無線リンクを介してブロードキャストされた前記映画プレビューに基づいた映画の選択を可能とするように構成されたマン・マシン・インタフェースと、
選択された映画の少なくとも１枚のチケットを無線リンクを介して購入し、該少なくとも１枚の購入チケットの入手をユーザに可能とするために、認証コードを前記無線リンクを介して受信するように構成された購入回路と
を更に備えることを特徴とする請求項１９に記載の無線通信装置。
【請求項２５】
映画情報を無線リンクを介して提供する方法を更に備える請求項１に記載の方法であって、前記ブロードキャストする工程は、
前記映画館と関連する優先度情報に基づいて、複数の映画プレビューについて順序を決定する工程と、
前記映画館の映画情報提供装置と少なくとも１台の無線通信装置との間で、無線リンクを確立する工程と、
前記複数の映画プレビューを決定された順序で、確立された無線リンクを介して送信する工程と
を備えることを特徴とする方法。
【請求項２６】
前記少なくとも１台の無線通信装置が、前記決定された順序で送信された複数の映画プレビューを前記確立された無線リンクを介して受信する工程を更に備えることを特徴とする請求項２５に記載の方法。
【請求項２７】
受信した前記複数の映画プレビューに基づいて鑑賞する映画を選択する工程と、
選択された映画のチケットを、前記確立された無線リンクを介して購入する工程と
をさらに備えることを特徴とする請求項２６に記載の方法。
【請求項２８】
前記映画情報提供装置が、前記映画館と関連する場所に配置されることを特徴とする請求項２５に記載の方法。
【請求項２９】
前記無線リンクを確立する工程では、前記映画館の前記映画情報提供装置と、前記少なくとも１台の無線通信装置との間の前記無線リンクが、短距離アドホックネットワークを利用して確立されることを特徴とする請求項２８に記載の方法。
【請求項３０】
前記映画情報は無線リンクを介して提供され、
前記映画情報提供回路は、
前記映画館と関連する優先度情報に基づいて、複数の映画プレビューについて順序を決定し、
無線リンクを、前記装置と少なくとも１台の無線通信装置との間で確立し、
前記複数の映画プレビューを決定された順序で、確立された無線リンクを介して送信する
ように更に構成されていることを特徴とする請求項１３に記載の装置。
【請求項３１】
前記映画館と関連する場所に設置されていることを特徴とする請求項３０に記載の装置。
【請求項３２】
前記映画情報提供回路が、前記装置と前記少なくとも１台の無線通信装置との間の前記無線リンクを、短距離アドホックネットワークを利用して確立するように構成されていることを特徴とする請求項３１に記載の装置。
【請求項３３】
前記受信回路が、複数の映画プレビューを、前記映画館が決定した順序で、確立された無線リンクを介して受信するように更に構成されていることを特徴とする請求項１９に記載の無線通信装置。
【請求項３４】
受信した前記複数の映画プレビューに基づいた映画の選択を可能とするように構成されたマン・マシン・インタフェースと、
選択された映画のチケットを前記確立された無線リンクを介して購入するように構成された購入回路と
をさらに備えることを特徴とする請求項３３に記載の無線通信装置。
【国際調査報告】
2008521339.tif 000008
2008521339.tif 000009
2008521339.tif 000010